(57)【要約】      （修正有）【課題】ステップ運動を行うことができる運動器具を提供する。【解決手段】運動器具であって、フレーム１に設置される駆動部材２は主軸２１を備える。主軸２１はフライホイール２２の両側に対称に突出する。主軸２１は、フレーム１の各側にメインギア３、スイングアーム４、遊星歯車５及びクランプ６を設置する。クランプ６により遊星歯車５の回転を連動し、且つスイングアーム４を連動して主軸２１の回転を駆動させると、遊星歯車５は同時にメインギア３の外周を巡る。よって、ペダル６１を踏み込む軌跡は、遊星歯車５の軸心を巡る円周運動となる。【選択図】図１
0003197712.tif 000002
【実用新案登録請求の範囲】
【請求項１】
エアロバイクであって、フレーム、駆動部材、２個のメインギア、２個のスイングアーム、２個の遊星歯車、２個のクランプを有し、
前記フレームには、ベースを設置し、前記ベース上には、サドル及び前記サドル前方に位置するハンドルを設置し、
前記駆動部材は、前記フレームに設置され、ベルトにより従動回転ホイールを連接するフライホイールを有し、前記フライホイールは、前記従動回転ホイールの負荷で回転し、前記駆動部材は、主軸を有し、前記主軸と前記フライホイールとは、同軸で、且つ前記フライホイールの両側に対称に設置され、
前記２個のメインギアは、それぞれ前記主軸と同軸で、前記フライホイールの両側に固定され、且つ前記主軸の両端は、２個のメインギアに突出され、
前記２個のスイングアームは、前記２個のメインギアの外側にそれぞれ設置され、且つ前記主軸に固定するように接続され、
前記２個の遊星歯車は、前記２個のスイングアームにそれぞれ枢設され、且つそれぞれ、同一のスイングアームのメインギアと噛み合い、
前記２個のクランプはそれぞれ、一端が、前記各スイングアームの外側において、前記遊星歯車と同軸で接続し、且つ前記クランプの遊星歯車から離れた一端には、ペダルが枢設されることを特徴とするエアロバイク。
【請求項２】
エアロバイクであって、フレーム、駆動部材、２個のメインギア、２個のスイングアーム、２個の遊星歯車、２個のクランプを有し、
前記フレームには、ベースが設置され、前記ベース上には、サドル及び前記サドル前方に位置するハンドルが設置され、
前記駆動部材は、前記フレームに設置され、駆動モーターと減速機を有し、且つ主軸を有し、前記主軸は前記減速機の両側に対象して突出され、
前記２個のメインギアは、それぞれ前記主軸と同軸で、前記減速機の両側に固定され、且つ前記主軸の両端は、２個のメインギアに突出され、
前記２個のスイングアームは、前記２個のメインギアの外側にそれぞれ設置され、且つ前記主軸に固定するように接続され、
前記２個の遊星歯車は、前記２個のスイングアームにそれぞれ枢設され、且つすべて、同一のスイングアームのメインギアと噛み合い、
前記２個のクランプはそれぞれ、一端が、前記各スイングアームの外側において、前記遊星歯車と同軸で接続し、且つ前記クランプの遊星歯車から離れた一端には、ペダルが枢設されることを特徴とするエアロバイク。
【考案の詳細な説明】
【技術分野】
【０００１】
本考案はエアロバイクに関し、特にステップ運動を行うことができるエアロバイクに関する。
【背景技術】
【０００２】
図８に示すとおり、従来のエアロバイクは、ベース９１、サドル９２及びハンドル９３により構成されるフレーム９４を有する。
フレーム９４は、円盤９５により、シャフト９６を連接し、シャフト９６には２個のクランプ９７が連接される。
２個のクランプ９７の端部には、ペダル９７１が設置され、円盤９５は、従動回転ホイール９８を連動する。
【０００３】
運動する時、使用者はサドル９２上に跨り、手でハンドル９３を持ち、両足でペダル９７１を踏み込む。
すると、クランプ９７を経て、シャフト９６を駆動し、これによって円盤９５の回転を連動する。
従動回転ホイール９８は、一定の重量を有するため、従動回転ホイール９８の負荷で、踏み込みを行うことで、運動の効果を達成する。
【０００４】
しかしながら、シャフト９６が円盤９５で回転する時、シャフト９６と円盤９５は同一軸心として回転するため、使用者の両足がペダル上を踏み込む時のステップの軌跡は、シャフト９６を中心とした円周だけを描く。
よって、鍛えることができる両足の筋肉群は固定されてしまい、より多くの筋肉部位を運動させることはできない。
【考案の概要】
【考案が解決しようとする課題】
【０００５】
前記先行技術においては、鍛えることができる両足の筋肉群は固定されてしまい、より多くの筋肉部位を運動させることができない欠点がある。
【課題を解決するための手段】
【０００６】
本考案は両足が踏み込む軸心の軌跡を変えることで、非同一軸心の円を描くステップが可能となり、鍛錬できる筋肉群の範囲を拡大し、より多くの筋肉部位で運動効果を得ることができるエアロバイクに関する。
【０００７】
本考案によるエアロバイクは、フレーム、駆動部材、２個のメインギア、２個のスイングアーム、２個の遊星歯車、２個のクランプを有する。
該フレームに、ベースを設置し、該ベース上には、サドル及び該サドル前方に位置するハンドルを設置する。
該駆動部材は、該フレームに設置され、ベルトにより従動回転ホイールを連接されるフライホイールを有し、該フライホイールは、従動回転ホイールの負荷の下回転する。
該駆動部材は、主軸を有し、該主軸と該フライホイールとは、同軸で、且つフライホイールの両側に対称に設置される。
【０００８】
該２個のメインギアは、それぞれ該主軸と同軸で、フライホイールの両側に固定され、且つ該主軸の両端には、２個のメインギアが突出される。
該２個のスイングアームは、該２個のメインギアの外側にそれぞれ設置され、且つ該主軸に固定するように接続される。
該２個の遊星歯車は、該２個のスイングアームにそれぞれ枢設され、且つすべて、同一のスイングアームのメインギアと噛み合う。
該２個のクランプはそれぞれ、一端が、該各スイングアームの外側において、該遊星歯車と同軸で接続し、且つ該クランプの遊星歯車から離れた一端には、ペダルが枢設される。
【０００９】
本考案の実施形態を応用する特徴の一つは、両足が踏み込む軸心の軌跡を変えることで、非同一軸心の円を描くステップが可能となり、鍛錬できる筋肉群の範囲を拡大し、より多くの筋肉部位で運動効果を得ることができる。
【図面の簡単な説明】
【００１０】
【図１】本考案の第一実施形態によるエアロバイクの立体外観図である。
【図２】本考案の第一実施形態によるエアロバイクの駆動部材、メインギア、スイングアーム、遊星歯車及びクランプをフレームに組み付ける局部拡大図である。
【図３】本考案の第一実施形態によるエアロバイクのメインギアと遊星歯車がスイングアームの同側に噛み合う模式図である。
【図４】本考案の第一実施形態によるペダルが主軸を軸心として円周運動を行う模式図である。
【図５】本考案の第一実施形態による遊星歯車がメインギアの周囲を巡る様子の模式図である。
【図６】本考案の第一実施形態によるエアロバイクシャフトが主軸を軸心として円周運動を行い、且つペダルがシャフトを軸心として円周運動を行う様子の模式図である。
【図７】本考案の第二実施形態によるエアロバイクの立体外観図である。
【図８】従来のエアロバイクの立体外観図である。
【考案を実施するための形態】
【００１１】
＜一実施形態＞
本考案の実施形態によるエアロバイクは、図１に示すとおり、フレーム１、駆動部材２、２個のメインギア３、２個のスイングアーム４、２個の遊星歯車５及び２個のクランプ６を有する。
【００１２】
図１に示すとおり、フレーム１には、ベース１１を設置し、且つベース１１上には、サドル１２、及びサドル１２前方に位置するハンドル１３が設置される。
【００１３】
図２に示すとおり、駆動部材２は、フレーム１に設置され、駆動部材２は、ベルト２３により従動回転ホイール２４を連接されるフライホイール２２を有する。
且つフライホイール２２は、従動回転ホイール２４の負荷で回転し、且つ駆動部材２は、主軸２１を有する。
主軸２１とフライホイール２２とは、同軸で、且つフライホイール２２の両側に対称に設置される。
【００１４】
図２に示すとおり、２個のメインギア３は、それぞれ主軸２１と同軸で、フライホイール２２の両側に固定される。
且つ主軸２１両端は、２個のメインギア３が突出する。
【００１５】
図２に示すとおり、２個のスイングアーム４は、２個のメインギア３の外側にそれぞれ設置され、且つ主軸２１に固定するように接続される。
２個の遊星歯車５は、２個のスイングアーム４にそれぞれ枢設され、且つ図３に示すとおり、２個の遊星歯車５は共に同一のスイングアーム４のメインギア３と噛み合う。
２個のクランプ６はそれぞれ、一端が、各スイングアーム４の外側において、該遊星歯車５と同軸で接続する。
且つクランプ６の遊星歯車５から離れた一端には、ペダル６１が枢設される。
【００１６】
図２に示すとおり、本実施形態の各遊星歯車５は、同軸のシャフト５１を有し、それが設置されるスイングアーム４の外側に突出される。
且つシャフト５１は、それが設置されるスイングアーム４の外側に、キャップコネクター５１１を形成し、主軸２１もまた、それが設置されるスイングアーム４の外側に、キャップコネクター２１１を形成する。
【００１７】
各クランプ６は、対応する遊星歯車４と接続する一端には、ソケット部６２を有する。
ソケット部６２は、主軸２１のキャップコネクター２１１、或いはシャフト５１のキャップコネクター５１１の何れかを選び、嵌めて接続される。
【００１８】
２個のクランプ６のソケット部６２を選び、主軸２１のキャップコネクター２１１を嵌めて接続するなら、両足が一対のペダル６１を踏み込むと、２個のペダル６１の軌跡は、図４に示すとおり、主軸２１の軸心の周囲を巡る。
この時得られるステップ運動効果は、従来のエアロバイクと同様である。
【００１９】
２個のクランプ６のソケット部６２を選び、２個のシャフト５１のキャップコネクター５１１を嵌めて接続するなら、両足が一対のペダル６１を踏み込むと、２個のペダル６１は、シャフト５１を軸心として円周運動を行い、且つクランプ６により、遊星歯車５の回転を連動する。
よって、遊星歯車５は、図５に示すとおり、メインギア３の周囲を巡り、各遊星歯車５のシャフト５１は図６に示すとおり、主軸２１を軸心として円周運動を行う。
【００２０】
この方式で、使用者が２個のペダル６１を踏み込むと、シャフト５１を軸心として円周運動が起きると同時に、シャフト５１は主軸２１を軸心として円周運動を行う。
よって、両足が踏み込む軸心の軌跡を変えることで、非同一軸心の円を描くステップが可能となり、従来のエアロバイクのステップ動作に比べ、鍛錬される筋肉部位は多くなる。
且つ従来のエアロバイクのステップ動作とは異なり、使用者は新鮮に感じるため、使用者が運動する回数を増やすことができる。
【００２１】
＜他の実施形態＞
図７に示す本考案第二実施形態と、第一実施形態との主要な差異は、駆動部材２Ａが、駆動モーター２２Ａと減速機２３Ａとを有し、主軸２１Ａが、減速機２３Ａの両側に突出する点である。
フレーム１には、固定台１４が設置され、駆動部材２Ａは、固定台１４の中に固定する。
固定台１４両側には、固定板１５がそれぞれ設置され、２個のメインギア３は、各固定板１５にそれぞれ固定される。
【００２２】
本実施形態の駆動部材２Ａは、駆動モーター２２Ａにより、減速機２３Ａの回転速度を下げ、主軸２１Ａに出力し、これにより、主軸２１Ａの回転を連動する。
この時、２個のクランプ６のソケット部６２が各キャップコネクター５１１に設置されている場合、主軸２１Ａによりスイングアーム４を連動してスイング運動を行わせる。
これにより、遊星歯車５は、メインギア３を巡り円周運動を行い、２個のクランプ６も遊星歯車５の動きに従いスイング運動を行う。
この時、両足を２個のペダル６１に置けば、ペダル６１に従いステップ動作を行うことができ、且つステップの軌跡と主動的に行うステップの動作は相同であるため、肢体不自者のリハビリ時の使用に適している。
【００２３】
さらに、駆動モーター２２Ａをオンにしない時に、主軸２１Ａは、減速機２３Ａの抵抗力を克服しなければ回転できない。
この時、減速機２３Ａを、第一実施形態の従動回転ホイール２４と見出すことができる。
この状況下では、２個のペダル６１に対して主動的に踏み込み運動を行うことができ、第一実施形態の駆動部材２と相同の効果を達成することができる。
【００２４】
前述した本考案の実施形態は本考案を限定するものではなく、よって、本考案により保護される範囲は後述される実用新案登録請求の範囲を基準とする。
【符号の説明】
【００２５】
９１  ベース
９２  サドル
９３  ハンドル
９４  フレーム
９５  円盤
９６  シャフト
９７  クランプ
９７１  ペダル
９８  従動回転ホイール
１  フレーム
１１  ベース
１２  サドル
１３  ハンドル
１４  固定台
１５  固定板
２  駆動部材
２１  主軸
２１１  キャップコネクター
２２  フライホイール
２３  ベルト
２４  従動回転ホイール
３  メインギア
４  スイングアーム
５  遊星歯車
５１  シャフト
５１１  キャップコネクター
６  クランプ
６１  ペダル
６２  ソケット部
２Ａ  駆動部材
２１Ａ  主軸
２２Ａ  駆動モーター
２３Ａ  減速機
【図１】
0003197712.tif 000003
【図２】
0003197712.tif 000004
【図３】
0003197712.tif 000005
【図４】
0003197712.tif 000006
【図５】
0003197712.tif 000007
【図６】
0003197712.tif 000008
【図７】
0003197712.tif 000009
【図８】
0003197712.tif 000010
【手続補正書】
【提出日】平成27年3月24日(2015.3.24)
【手続補正２】
【補正対象書類名】明細書
【補正対象項目名】０００１
【補正方法】変更
【補正の内容】
【０００１】
本考案は運動器具に関し、特にステップ運動を行うことができる運動器具に関する。
【手続補正３】
【補正対象書類名】明細書
【補正対象項目名】０００２
【補正方法】変更
【補正の内容】
【０００２】
図８に示すとおり、従来の運動器具は、ベース９１、サドル９２及びハンドル９３により構成されるフレーム９４を有する。
フレーム９４は、円盤９５により、シャフト９６を連接し、シャフト９６には２個のクランプ９７が連接される。
２個のクランプ９７の端部には、ペダル９７１が設置され、円盤９５は、従動回転ホイール９８を連動する。
【手続補正４】
【補正対象書類名】明細書
【補正対象項目名】０００６
【補正方法】変更
【補正の内容】
【０００６】
本考案は両足が踏み込む軸心の軌跡を変えることで、非同一軸心の円を描くステップが可能となり、鍛錬できる筋肉群の範囲を拡大し、より多くの筋肉部位で運動効果を得ることができる運動器具に関する。
【手続補正５】
【補正対象書類名】明細書
【補正対象項目名】０００７
【補正方法】変更
【補正の内容】
【０００７】
本考案による運動器具は、フレーム、駆動部材、２個のメインギア、２個のスイングアーム、２個の遊星歯車、２個のクランプを有する。
該フレームに、ベースを設置し、該ベース上には、サドル及び該サドル前方に位置するハンドルを設置する。
該駆動部材は、該フレームに設置され、ベルトにより従動回転ホイールを連接されるフライホイールを有し、該フライホイールは、従動回転ホイールの負荷の下回転する。
該駆動部材は、主軸を有し、該主軸と該フライホイールとは、同軸で、且つフライホイールの両側に対称に設置される。
【手続補正６】
【補正対象書類名】明細書
【補正対象項目名】００１０
【補正方法】変更
【補正の内容】
【００１０】
【図１】本考案の第一実施形態による運動器具の立体外観図である。
【図２】本考案の第一実施形態による運動器具の駆動部材、メインギア、スイングアーム、遊星歯車及びクランプをフレームに組み付ける局部拡大図である。
【図３】本考案の第一実施形態による運動器具のメインギアと遊星歯車がスイングアームの同側に噛み合う模式図である。
【図４】本考案の第一実施形態によるペダルが主軸を軸心として円周運動を行う模式図である。
【図５】本考案の第一実施形態による遊星歯車がメインギアの周囲を巡る様子の模式図である。
【図６】本考案の第一実施形態による運動器具シャフトが主軸を軸心として円周運動を行い、且つペダルがシャフトを軸心として円周運動を行う様子の模式図である。
【図７】本考案の第二実施形態による運動器具の立体外観図である。
【図８】従来の運動器具の立体外観図である。
【手続補正７】
【補正対象書類名】明細書
【補正対象項目名】００１１
【補正方法】変更
【補正の内容】
【００１１】
＜一実施形態＞
本考案の実施形態による運動器具は、図１に示すとおり、フレーム１、駆動部材２、２個のメインギア３、２個のスイングアーム４、２個の遊星歯車５及び２個のクランプ６を有する。
【手続補正８】
【補正対象書類名】明細書
【補正対象項目名】００１８
【補正方法】変更
【補正の内容】
【００１８】
２個のクランプ６のソケット部６２を選び、主軸２１のキャップコネクター２１１を嵌めて接続するなら、両足が一対のペダル６１を踏み込むと、２個のペダル６１の軌跡は、図４に示すとおり、主軸２１の軸心の周囲を巡る。
この時得られるステップ運動効果は、従来の運動器具と同様である。
【手続補正９】
【補正対象書類名】明細書
【補正対象項目名】００２０
【補正方法】変更
【補正の内容】
【００２０】
この方式で、使用者が２個のペダル６１を踏み込むと、シャフト５１を軸心として円周運動が起きると同時に、シャフト５１は主軸２１を軸心として円周運動を行う。
よって、両足が踏み込む軸心の軌跡を変えることで、非同一軸心の円を描くステップが可能となり、従来の運動器具のステップ動作に比べ、鍛錬される筋肉部位は多くなる。
且つ従来の運動器具のステップ動作とは異なり、使用者は新鮮に感じるため、使用者が運動する回数を増やすことができる。
【手続補正１０】
【補正対象書類名】実用新案登録請求の範囲
【補正対象項目名】全文
【補正方法】変更
【補正の内容】
【実用新案登録請求の範囲】
【請求項１】
運動器具であって、フレーム、駆動部材、２個のメインギア、２個のスイングアーム、２個の遊星歯車、２個のクランプを有し、
前記フレームには、ベースを設置し、前記ベース上には、サドル及び前記サドル前方に位置するハンドルを設置し、
前記駆動部材は、前記フレームに設置され、ベルトにより従動回転ホイールを連接するフライホイールを有し、前記フライホイールは、前記従動回転ホイールの負荷で回転し、前記駆動部材は、主軸を有し、前記主軸と前記フライホイールとは、同軸で、且つ前記フライホイールの両側に対称に設置され、
前記２個のメインギアは、それぞれ前記主軸と同軸で、前記フライホイールの両側に固定され、且つ前記主軸の両端は、２個のメインギアに突出され、
前記２個のスイングアームは、前記２個のメインギアの外側にそれぞれ設置され、且つ前記主軸に固定するように接続され、
前記２個の遊星歯車は、前記２個のスイングアームにそれぞれ枢設され、且つそれぞれ、同一のスイングアームのメインギアと噛み合い、
前記２個のクランプはそれぞれ、一端が、前記各スイングアームの外側において、前記遊星歯車と同軸で接続し、且つ前記クランプの遊星歯車から離れた一端には、ペダルが枢設されることを特徴とする運動器具。
【請求項２】
運動器具であって、フレーム、駆動部材、２個のメインギア、２個のスイングアーム、２個の遊星歯車、２個のクランプを有し、
前記フレームには、ベースが設置され、前記ベース上には、サドル及び前記サドル前方に位置するハンドルが設置され、
前記駆動部材は、前記フレームに設置され、駆動モーターと減速機を有し、且つ主軸を有し、前記主軸は前記減速機の両側に対象して突出され、
前記２個のメインギアは、それぞれ前記主軸と同軸で、前記減速機の両側に固定され、且つ前記主軸の両端は、２個のメインギアに突出され、
前記２個のスイングアームは、前記２個のメインギアの外側にそれぞれ設置され、且つ前記主軸に固定するように接続され、
前記２個の遊星歯車は、前記２個のスイングアームにそれぞれ枢設され、且つすべて、同一のスイングアームのメインギアと噛み合い、
前記２個のクランプはそれぞれ、一端が、前記各スイングアームの外側において、前記遊星歯車と同軸で接続し、且つ前記クランプの遊星歯車から離れた一端には、ペダルが枢設されることを特徴とする運動器具。